(57)【特許請求の範囲】
【請求項１】
出入口に設置された扉の取手内に収納され、質問信号を送信すると共に識別情報を受信し、この識別情報に該当する者が出入口の通過を許可されていると判断したときに解錠許可信号を出力するリーダ装置と、解錠許可信号が入力されたときに扉の解錠を行う電気錠と、特定の個人に配布され、出入口への接近により前記質問信号を受信すると携帯者識別のための前記識別情報を送信するトランスポンダ装置とを有する扉用キー装置であって、
前記リーダ装置は、質問信号の送信と識別情報の受信のための第１のアンテナコイルと、
質問信号を生成して第１のアンテナコイルに出力する信号発生手段と、
第１のアンテナコイルで受信された識別情報を検出する信号検出手段と、
出入口の通過が許されている携帯者の識別情報である判定情報と、この携帯者が通過を許される日時である判定用条件をあらかじめ記憶し、信号検出手段で得られた識別情報が記憶している判定情報と一致し、かつ識別情報が得られた日時が判定用条件に合致するときのみ解錠許可信号を出力する制御手段とからなるものであり、
前記トランスポンダ装置は、質問信号の受信と識別情報の送信のための第２のアンテナコイルと、
第２のアンテナコイルが受信した質問信号に応じて識別情報を第２のアンテナコイルに出力する情報発生手段とからなるものであることを特徴とする扉用キー装置。
【請求項２】
出入口に設置された扉の取手内に収納され質問信号を送信すると共に識別情報を受信するリーダ装置と、このリーダ装置で得られた識別情報に該当する者が出入口の通過を許可されていると判断したときに解錠許可信号を出力する情報処理装置と、解錠許可信号が入力されたときに扉の解錠を行う電気錠と、特定の個人に配布され、出入口への接近により前記質問信号を受信すると携帯者識別のための前記識別情報を送信するトランスポンダ装置とを有する扉用キー装置であって、
前記リーダ装置は、質問信号の送信と識別情報の受信のための第１のアンテナコイルと、
質問信号を生成して第１のアンテナコイルに出力する信号発生手段と、
第１のアンテナコイルで受信された識別情報を検出する信号検出手段と、
得られた識別情報を情報処理装置に送出する制御手段とからなるものであり、
前記情報処理装置は、出入口の通過が許されている携帯者の識別情報である判定情報と、この携帯者が通過を許される日時である判定用条件をあらかじめ記憶し、リーダ装置で得られた識別情報が記憶している判定情報と一致し、かつ識別情報が得られた日時が判定用条件に合致するときのみ解錠許可信号を出力するものであり、
前記トランスポンダ装置は、質問信号の受信と識別情報の送信のための第２のアンテナコイルと、
第２のアンテナコイルが受信した質問信号に応じて識別情報を第２のアンテナコイルに出力する情報発生手段とからなるものであることを特徴とする扉用キー装置。
【発明の詳細な説明】
【０００１】
【産業上の利用分野】
本発明は、扉用キー装置に関し、特に非接触自動識別技術を応用したトランスポンダ装置とリーダ装置を用いて扉の解錠を行う扉用キー装置に関するものである。
【０００２】
【従来の技術】
扉用キー装置は、金属加工による機械的キー装置が広く普及しているが、不正解錠による金品盗難、あるいは不法侵入にあうことがある。これは、簡単に鍵が複製できること、鍵に代わる治工具により解錠が可能なことなどに主たる原因があった。そこで、近年では機械的キー装置に代わって暗証番号による電子錠システムや、磁気ストライプカードに特定の情報を書き込み磁気ヘッドを有するリーダ装置に挿入して解錠するシステムが提案されてきた。
【０００３】
さらに最近では、耐久性、メンテナンス性、情報改ざんの困難さ、運用効率の良さなどから磁気ストライプカードによる解錠システムの代わりに非接触自動識別技術を利用した解錠システムが注目されつつある。このシステムは、特定の情報が書き込まれたトランスポンダ装置と、トランスポンダ装置から非接触でその内部の情報を読み出すリーダ装置とを組合わせて扉の解錠を行うものである。
このようなシステムは、人員の立ち入り制限又は犯罪防止の目的からオフィスビルやマンションの共同玄関などに導入され、扉付近にこのシステムに必須のリーダ装置が取り付けられている。
【０００４】
【発明が解決しようとする課題】
しかしながら、上記システムのリーダ装置は、一般に建物や部屋の出入口の壁面に埋設、あるいはねじ止めによって固定することを前提に設計されているため、システムの導入に際して壁面へのリーダ装置の埋設工事に多額の工事費用が必要になるという問題点があり、壁面へリーダ装置をねじ止めする場合には、リーダ装置への配線、配管が露出して出入口の景観を損なうという問題点があった。
また、リーダ装置の設置には、出入口近くに工事可能な壁面が必要なため、近年のオフィスビルやマンションの共同玄関などに多く見られるようなガラス張りの出入口には設置することができず、出入口から離れた場所にリーダ装置を設置せざるを得ないために、利用者が使いづらいという問題点があった。
また、リーダ装置が壁面に露出しているために、第３者がリーダ装置をいたずらしたり破壊したりすることが容易であるという問題点があった。
本発明は、上記課題を解決するためになされたもので、出入口への設置が容易で、壁面に露出することのない扉用キー装置を提供することを目的とする。
【０００５】
【課題を解決するための手段】
本発明の扉用キー装置は、出入口に設置された扉の取手内に収納され、質問信号を送信すると共に識別情報を受信し、この識別情報に該当する者が出入口の通過を許可されていると判断したときに解錠許可信号を出力するリーダ装置と、解錠許可信号が入力されたときに扉の解錠を行う電気錠と、特定の個人に配布され、出入口への接近により質問信号を受信すると携帯者識別のための識別情報を送信するトランスポンダ装置とを有し、リーダ装置は、質問信号の送信と識別情報の受信のための第１のアンテナコイルと、質問信号を生成して第１のアンテナコイルに出力する信号発生手段と、第１のアンテナコイルで受信された識別情報を検出する信号検出手段と、出入口の通過が許されている携帯者の識別情報である判定情報と、この携帯者が通過を許される日時である判定用条件をあらかじめ記憶し、信号検出手段で得られた識別情報が記憶している判定情報と一致し、かつ識別情報が得られた日時が判定用条件に合致するときのみ解錠許可信号を出力する制御手段とからなるものであり、トランスポンダ装置は、質問信号の受信と識別情報の送信のための第２のアンテナコイルと、第２のアンテナコイルが受信した質問信号に応じて識別情報を第２のアンテナコイルに出力する情報発生手段とからなるものである。
【０００６】
また、リーダ装置で得られた識別情報に該当する者が出入口の通過を許可されていると判断したときに解錠許可信号を出力する情報処理装置を有し、この情報処理装置は、出入口の通過が許されている携帯者の識別情報である判定情報と、この携帯者が通過を許される日時である判定用条件をあらかじめ記憶し、リーダ装置で得られた識別情報が記憶している判定情報と一致し、かつ識別情報が得られた日時が判定用条件に合致するときのみ解錠許可信号を出力するものである。
【０００７】
【作用】
本発明によれば、携帯者の出入口への接近によってトランスポンダ装置が扉の取手内のリーダ装置に接近すると、トランスポンダ装置が質問信号を受信して識別情報を送信し、リーダ装置がこれを受信する。そして、リーダ装置は、得られた識別情報が記憶している判定情報と一致し、かつ識別情報が得られた日時が判定用条件に合致するときのみ、識別情報に該当する者が出入口の通過を許可されていると判断して解錠許可信号を出力し、電気錠が扉の解錠を行う。
また、情報処理装置は、リーダ装置で得られた識別情報が記憶している判定情報と一致し、かつ識別情報が得られた日時が判定用条件に合致するときのみ、識別情報に該当する者が出入口の通過を許可されていると判断して解錠許可信号を出力し、電気錠が扉の解錠を行う。
【０００８】
【実施例】
図１は本発明の１実施例を示す扉用キー装置のブロック図である。
１は建物や部屋などの出入口に設けられた扉、２は扉１の枠、３は扉１を建物や部屋の壁に取り付けるための蝶番、４は扉１に取り付けられる取手である。５は取手４内に収納されたリーダ装置であり、後述するトランスポンダ装置に応答を促すための質問信号を送信すると共に、トランスポンダ装置から送信された識別情報を受信し、この識別情報に該当する者が出入口の通過を許可されていると判断したときに、扉１内の図示しない電気錠に解錠許可信号を出力する。
【０００９】
また、６は取手４に取り付けられるカバー、７は特定の個人に配布され、この携帯者の出入口への接近によってリーダ装置５からの質問信号を受信すると識別情報を送信するトランスポンダ装置、１０はリーダ装置５の各部品が実装されたプリント配線板、１１は質問信号の送信と識別情報の受信のためのリーダ装置５の第１のアンテナコイルである。
【００１０】
本実施例の扉１は、枠２によってガラスを支えるガラス張りの構造になっているが、金属等の材料で一体的に成形された枠なしの構造であってもよい。
扉１に取り付けられる取手４は、リーダ装置５が収納可能なように空隙を有している。そして、リーダ装置５を覆い隠すように取り付けられるカバー６は、リーダ装置５とトランスポンダ装置７の間での電磁波による良好な通信が可能なように非金属性の材料によって成形されている。
【００１１】
なお、取手４の材質は、非金属性の方がトランスポンダ装置７との通信距離の点で望ましいが、通信距離が特に問題とならない場合は金属性であってもよい。また、リーダ装置５及び図示しない電気錠と扉１外の電源との接続は、枠２の内部に設けられた図示しない配線、蝶番３に設けられた図示しない接点機構によって実現され、このような接続により扉１の外部から電源が供給される。
【００１２】
次に、このような扉用キー装置の動作を説明する。
図２はリーダ装置５及びトランスポンダ装置７の１構成例を示すブロック図である。１２は制御手段となるマイクロコンピュータであり、出入口の通過が許されている携帯者の識別情報である判定情報と、この携帯者が通過を許される日時である判定用条件をあらかじめ記憶し、後述する受信回路で得られた識別情報が記憶している判定情報と一致し、かつ識別情報が得られた日時が判定用条件に合致するときのみ解錠許可信号を出力する。
【００１３】
また、１３は質問信号生成のための搬送波信号を発生する信号発生器、１４は質問信号を生成する送信回路、１５は質問信号とアンテナコイル１１で受信された応答信号を分離するフィルタ回路、１６はフィルタ回路１５によって取り出された応答信号を復調する受信回路、２１は質問信号の受信と識別情報の送信のための第２のアンテナコイル、２２はアンテナコイル２１が受信した質問信号に応じて識別情報をアンテナコイル２１に出力する情報発生手段となる送受信回路である。そして、信号発生器１３、送信回路１４が信号発生手段を構成し、フィルタ回路１５、受信回路１６が信号検出手段を構成している。
【００１４】
送信回路１４は、マイクロコンピュータ１２の指令によりトランスポンダ装置７に応答を促すための質問信号を信号発生器１３の出力を基に生成してアンテナコイル１１に供給する。こうして、アンテナコイル１１から質問電波が送出される。なお、質問信号には、例えば１２５ｋＨｚ等の特定周波数の搬送波のみからなるものや、トランスポンダ装置７を呼び出すための特定の情報で搬送波を変調したものが使用される。
【００１５】
次に、トランスポンダ装置７を携帯している人間が出入口から中に入ろうとして扉１に近づくと、リーダ装置５とトランスポンダ装置７が接近し、アンテナコイル１１、２１間で１組の電磁誘導回路が形成される。これにより、トランスポンダ装置７のアンテナコイル２１が質問電波を受信する。
送受信回路２２は、受信された質問電波を復調して質問信号を検出すると、図示しない内部のメモリに格納された識別情報を読み出す。この識別情報としては、トランスポンダ装置７を携帯する者の氏名、あるいは携帯者に割り当てられた識別番号などがある。
【００１６】
続いて、送受信回路２２は、質問信号とは周波数の異なる、識別情報を含む応答信号を生成し、変調した後にアンテナコイル２１に出力する。こうして、アンテナコイル２１から応答電波が送出され、リーダ装置５のアンテナコイル１１によって受信される。
そして、送信回路１４からアンテナコイル１１に出力された質問信号と受信された応答信号（ここでは変調波）とを分離するフィルタ回路１５により、応答信号が取り出され、受信回路１６によって復調される。
【００１７】
一方、マイクロコンピュータ１２内の図示しないメモリには、扉１が設置された建物や部屋への入所が許されている人の識別情報が判定情報として登録されている。さらに、オフィスビルや企業では、入所が許される条件（例えば、朝８時から夜１０までは入所が可能とか、平日のみ入所が可能で休日は不可など）があり、またこの条件は各個人で異なることも有り得る。
そこで、判定情報には、それぞれ判定用条件（この判定情報に該当するトランスポンダ装置７の携帯者が入所を許されている日付、曜日、時刻など）が付加されている。
【００１８】
そして、マイクロコンピュータ１２は、受信回路１６で得られた応答信号から識別情報を検出すると、この識別情報をメモリ内に記憶された判定情報と照合し、一致する判定情報が登録されている場合には、識別情報が得られた現時点での日付、曜日、時刻を判定情報に付加された判定用条件と照合して、条件内かどうかを判定する。
【００１９】
こうして、マイクロコンピュータ１２は、識別情報が判定情報と一致し、かつ識別情報が得られた日時が判定用条件に合致するときのみ、識別情報に該当する人が出入口への入所を許可されていると判断して、解錠許可信号を出力する。
そして、この解錠許可信号の出力により、電気錠内部の扉施解錠駆動部が解錠を行う。
【００２０】
また、識別情報が登録されていないか、あるいは識別情報が登録されていても、現時点が例えば日曜日だったり夜中の１２時だったりして判定用条件に合致しない場合は、不正規の侵入者、あるいは不正規の入所日時と判断して、解錠許可信号を出力せず入所を拒否する。
以上のように、特定のトランスポンダ装置７を取手４の近くにかざすことによって扉１の解錠を行うことができる。また、本実施例では、扉１の取手４内にリーダ装置５を内蔵しているため、出入口近くに工事可能な壁面がない場合でも、リーダ装置５を設置することができる。
【００２１】
なお、本実施例では、電源が扉１の外部に設置されているが、バッテリーを扉内に設けて電源を不要にすることもできる。この場合には、枠２内の配線が不要になるので、取手、電気錠、及びバッテリー以外の部分がガラス張りのようなドアであっても本発明を適用することができる。
【００２２】
図３は本発明の他の実施例となる扉用キー装置の他の構成例を示すブロック図であり、図１、２の例と同一の作用をする構成には同一の符号を付してある。
５ａはリーダ装置５と同様に扉の取手内に収納され、質問信号を送信すると共に識別情報を受信するリーダ装置、８はリーダ装置５ａで得られた識別情報に該当する者が出入口の通過を許可されていると判断したときに、解錠許可信号を出力する情報処理装置、１０ａはリーダ装置５ａの各部品が実装されたプリント配線板である。
【００２３】
また、１２ａは送信回路１４に質問信号を発生させる指令を発すると共に、受信回路１６からの応答信号を受信して信号に含まれる識別情報を後述するドライバ回路に送出する制御手段となるマイクロコンピュータ、１７は扉から隔たった情報処理装置に識別情報を伝送するためのドライバ回路、１８はこの識別情報を受信するためのレシーバ回路、１９は上記と同様の判定情報及び判定用条件を記憶し、リーダ装置５ａで得られた識別情報が判定情報と一致し、かつ識別情報が得られた日時が判定用条件に合致するときのみ解錠許可信号を出力するマイクロコンピュータである。
【００２４】
本実施例では、リーダ装置５ａが取手内に収納され、情報処理装置８は扉の外部に設置される。そして、リーダ装置５ａと情報処理装置８との間、及び装置８と電気錠との間は、図１の例と同様に、枠２の内部に設けられた配線と蝶番３の接点機構によって接続されている。
【００２５】
マイクロコンピュータ１２ａは、判定情報及び判定用条件を格納するメモリを持たず、送信回路１４に質問信号を発生させるための指令を発する機能と、受信回路１６からの応答信号を受信し、この応答信号に含まれる識別情報をドライバ回路１７に送出する機能のみを有している。
これにより、図１、２の例と同様に識別情報が得られると、この識別情報がドライバ回路１７、レシーバ回路１８を介してマイクロコンピュータ１９に送出される。
【００２６】
マイクロコンピュータ１９は、上記判定情報と判定用条件が格納された図示しないメモリを内部に有している。
そして、レシーバ回路１８を介して識別情報が入力されると、この識別情報が判定情報と一致し、かつ識別情報が得られた日時が判定用条件に合致するときのみ、識別情報に該当する人が出入口への入所を許可されていると判断して、解錠許可信号を扉内の電気錠に出力する。
【００２７】
こうして、図１、２の例と同様の動作を実現できる。本実施例では、判定情報と判定用条件を格納するメモリをリーダ装置５ａとは別の情報処理装置８に移したので、図１、２の例よりもリーダ装置５ａを小型化することができ、取手４に設けるリーダ装置５ａの収納場所を小さくすることができる。
また、図１、２の例では、判定情報と判定用条件を書き換える場合、リーダ装置５内のコンピュータ１２のメモリを書き換えなければならないが、本実施例では、情報処理装置８が扉の外部にあるので、判定情報と判定用条件を書き換えることが容易となる。
【００２８】
【発明の効果】
本発明によれば、扉の取手内にリーダ装置を収納するので、建物や部屋等の出入口の構造に左右されることなくリーダ装置を設置することができ、建物や部屋等の景観を損なうことなく利用者が使いやすい配置とすることができる。また、リーダ装置が露出しないため、第三者にその存在を知らしめることのない扉用キー装置を実現でき、いたずらや破壊を防止することができる。
また、情報処理装置と取手に収納されたリーダ装置により、上記と同様の効果を実現でき、情報処理装置に判定情報と判定用条件を格納させたので、リーダ装置を小型化することができ、取手に設けるリーダ装置の収納場所を小さくすることができる。また、判定情報と判定用条件を容易に書き換えることができる。
【図面の簡単な説明】
【図１】本発明の１実施例を示す扉用キー装置のブロック図である。
【図２】図１のリーダ装置及びトランスポンダ装置の１構成例を示すブロック図である。
【図３】本発明の他の実施例となる扉用キー装置の他の構成例を示すブロック図である。
【符号の説明】
１…扉、４…取手、５、５ａ…リーダ装置、６…取手のカバー、７…トランスポンダ装置、８…情報処理装置、１０、１０ａ…プリント配線板、１１…アンテナコイル、１２、１２ａ、１９…マイクロコンピュータ、１３…信号発生器、１４…送信回路、１５…フィルタ回路、１６…受信回路、１７…ドライバ回路、１８…レシーバ回路、２１…アンテナコイル、２２…送受信回路。
【図１】
0003579107.tif 000002
【図２】
0003579107.tif 000003
【図３】
0003579107.tif 000004